(57)【特許請求の範囲】
【請求項１】
圧縮機を設置した機械室と、冷蔵庫本体下部に設けた一方を冷蔵庫前面部に開口する吸込口と他一方を前記機械室に開口する吐出口とを形成するダクトと、前記ダクト内に設置した凝縮器と、前記凝縮器を強制冷却する冷却ファンとを備え、前記ダクトの底面と前記凝縮器のフィンの最下端部との隙間、及び冷蔵庫本体の底面と前記凝縮器のフィンの最上端部との隙間は前記凝縮器のフィンピッチより狭くする冷蔵庫。
【請求項２】
ダクト底部の少なくとも一部に補助吸込口を設け、凝縮器は前記ダクトの上部に設置する請求項１記載の冷蔵庫。
【請求項３】
ダクト底部の補助吸込口に、吸込口より流入する冷却風をダクト上部に導くエアガイダーを形成する請求項２記載の冷蔵庫。
【請求項４】
冷蔵庫前面部とダクト底部に開口する補助ダクトをダクト底部に形成した請求項２または請求項３記載の冷蔵庫。
【発明の詳細な説明】
【０００１】
【発明の属する技術分野】
本発明は、冷蔵庫における凝縮器の放熱効率向上に関するものである。
【０００２】
【従来の技術】
冷蔵庫本体下部に凝縮器を設置した従来の冷蔵庫として、特開平７−１６７５４７号公報に示すようなものがある。
【０００３】
以下図面を参照しながら、上述した従来の冷蔵庫の一例について説明する。
【０００４】
図７は従来の冷蔵庫の構造を示す要部の横断平面図で、図８は要部の縦断側面図である。冷蔵庫本体１の下部奥側に機械室２が、仕切壁３と背面カバー４で設けられている。前記機械室２には、圧縮機５と、冷却ファン６が設置されている。
【０００５】
吸気ダクト７は、前記圧縮機５，凝縮器８および前記冷却ファン６を載置する基盤９と、冷蔵庫本体１の底面，両側面，前記仕切壁３とに囲まれた空間により形成されている。
【０００６】
前記基盤９の冷蔵庫本体１の下部前面部には、吸気口１０が設けられている。前記吸気口１０は、細長の矩形に形成された穿孔で、この穿孔が基盤９の横方向に複数個規則正しく並べられて配置され、基盤９の底面に回り込んで形成されている。そして、吸込口１０は、後側へ向かうほど穿孔の開口面積が小さく、かつ横方向に穿孔の数が少なくなっている。
【０００７】
前記圧縮機５および前記凝縮器８を冷却する冷却風の流れは、前記冷却ファン６を運転することで、吸気口１０から外気が流入し凝縮器８を冷却する。そして凝縮器８を冷却した冷却風は、整流板１１により流れが蛇行し冷却ファン６を通り、圧縮機５を冷却することとなる。
【０００８】
【発明が解決しようとする課題】
しかしながら上記のような構成では、吸気ダクト７と凝縮器８間に隙間を設けているが、隙間が広いため吸気口１０から流入した外気の大半は、凝縮器８内を通過せず吸気ダクト７と凝縮器８間の隙間を流れることとなり凝縮器の冷却が不十分となっている。
【０００９】
また、整流板１１により吸気口１０からの冷却風の偏流の防止を行っているが、整流板１１により冷却風を蛇行させているため、圧力損失の増加による風量低下でおきる凝縮器８の冷却不足が冷蔵庫の故障原因となってしまうという課題を有していた。
【００１０】
本発明は上記課題を解決するもので、凝縮器に効率的に冷却風を流すことで、冷却を促進できる冷蔵庫を提供することを目的とする。
【００１１】
【課題を解決するための手段】
上記目的を達成するために本発明は、圧縮機を設置した機械室と、冷蔵庫本体下部に設けた一方を冷蔵庫前面部に開口する吸込口と他一方を前記機械室に開口する吐出口とを形成するダクトと、前記ダクト内に設置した凝縮器と、前記凝縮器を強制冷却する冷却ファンとを備え、前記ダクトの底面と前記凝縮器のフィンの最下端部との隙間、及び冷蔵庫本体の底面と前記凝縮器のフィンの最上端部との隙間は前記凝縮器のフィンピッチより狭くするものである。
【００１２】
これにより、吸込口から流入した外気の大半を凝縮器に流すことができ、凝縮器の効率的冷却ができる。
【００１３】
【発明の実施の形態】
本発明の請求項１に記載の発明は、圧縮機を設置した機械室と、冷蔵庫本体下部に設けた一方を冷蔵庫前面部に開口する吸込口と他一方を前記機械室に開口する吐出口とを形成するダクトと、前記ダクト内に設置した凝縮器と、前記凝縮器を強制冷却する冷却ファンとを備え、前記ダクトの底面と前記凝縮器のフィンの最下端部との隙間、及び冷蔵庫本体の底面と前記凝縮器のフィンの最上端部との隙間は前記凝縮器のフィンピッチより狭くするものであり、吸込口から流入した外気はダクトと凝縮器の隙間に偏流することなく大半を凝縮器に流すことができ、凝縮器の効率的冷却ができるという作用を有する。
【００１４】
請求項２記載の発明は、ダクト底部の少なくとも一部に補助吸込口を設け、凝縮器は前記ダクトの上部に設置するものであり、凝縮器を流れる冷却風の偏流が防止でき、さらにダクト底部の補助吸込口の影響により冷却風の大半が流れるダクト上部に凝縮器を設置しているので、凝縮能力を向上させることができるという作用を有する。
【００１５】
請求項３記載の発明は、ダクト底部の補助吸込口に、吸込口より流入する冷却風をダクト上部に導くエアガイダーを形成しているので、吸込口から流入した外気を効率的にダクト上部に設置する凝縮器に流せるので、凝縮能力を向上させることができるという作用を有する。
【００１６】
請求項４記載の発明は、冷蔵庫前面部とダクト底部に開口する補助ダクトをダクト底部に形成しているので、お客様がいかなる条件で冷蔵庫を設置されても凝縮器には所定の冷却風が流れるので、凝縮能力と冷蔵庫の信頼性を確保できるという作用を有する。
【００１７】
以下、本発明の実施の形態について、図１から図６を用いて説明する。
【００１８】
（実施の形態１）
本発明による冷蔵庫の実施の形態１について図面を参照しながら説明するが、従来と同一構成については、同一の符号を付し詳細な説明を省略する。
【００１９】
図１は本発明の実施の形態１における冷蔵庫の構造を示す要部の横断平面図で、図２は要部の縦断側面図である。冷蔵庫本体１の下部奥側に機械室１２が、仕切壁３と背面カバー４で設けられている。前記機械室１２には、圧縮機５と、蒸発皿１４と、冷却ファン６が設置されている。
【００２０】
吸気ダクト１５は、冷蔵庫本体１の底面，両側面，仕切壁３とに囲まれた空間により形成されており、冷蔵庫本体前面部には吸込口１７、機械室１２側には排出口２４を開口している。吸気ダクト１５内には、スパイラルチューブ式である凝縮器１６を設置しており、吸気ダクト１５と凝縮器１６の隙間１５ａ，１５ｂは、凝縮器１６のフィンピッチより狭くしている。
【００２１】
以上のように構成された冷蔵庫について、以下にその動作を説明する。
【００２２】
冷却ファン６を運転することで吸込口１７から取り入れた外気は、吸気ダクト１５内の凝縮器１６を冷却し、排出口２４から機械室１２に流入し、蒸発皿１４上部，冷却ファン６を経て圧縮機５を冷却し吐出口１３より冷蔵庫外へ吐出される。
【００２３】
吸気ダクト１５内の外気の流れは、凝縮器１６との隙間１５ａ，１５ｂが、凝縮器１６のフィンピッチより狭くしているので、隙間１５ａ，１５ｂに偏流することなく凝縮器１６内を流れる。
【００２４】
これにより、吸込口１７から流入した外気の大半を凝縮器１６に流すことができ、凝縮器の効率的冷却ができる。
【００２５】
（実施の形態２）
本発明による冷蔵庫の実施の形態２について図面を参照しながら説明するが、従来および実施の形態１と同一構成については、同一の符号を付し詳細な説明を省略する。
【００２６】
図３は本発明の実施の形態２における冷蔵庫の構造を示す要部の横断平面図で、図４は要部の縦断側面図である。
【００２７】
補助吸込口１９は、吸込口１７から流入する外気の凝縮器１６内流れにおいて、流れのよどみ部となる排出口２４と対角に位置し凝縮器１６の中央部にあたる吸気ダクト１８底部に設けている。これにより、吸込口１７と補助吸込口１９から流入する外気により凝縮器１６全体を効率的に冷却できる。
【００２８】
また、吸気ダクト１８内の圧力は補助吸込口１９を設けているため、補助吸込口１９付近の圧力は吸気ダクト内上部より高くなる。これにより、吸込口１７から流入する外気の主流は圧力の低いダクト上部を流れることとなり、吸気ダクト１８の上部に設置している凝縮器１６の凝縮能力向上が図れる。
【００２９】
（実施の形態３）
本発明による冷蔵庫の実施の形態３について図面を参照しながら説明するが、従来および実施の形態１および実施の形態２と同一構成については、同一の符号を付し詳細な説明を省略する。
【００３０】
図５は本発明の実施の形態３における冷蔵庫の構造を示す要部の縦断側面図である。
【００３１】
エアガイダー２１は、補助吸込口１９の風上側から風下に吸気ダクト２０内上方斜めに形成している。エアガイダー２１により吸込口１７および補助吸込口１９から流入する外気は、強制的にダクト上部に設置している凝縮器１６に導かれる。さらに、エアガイダー２１付近での外気流れの乱れもあり、凝縮器１６の熱交換効率が向上による大幅な凝縮能力向上が図れる。
【００３２】
（実施の形態４）
本発明による冷蔵庫の実施の形態４について図面を参照しながら説明するが、従来と実施の形態２および実施の形態３と同一構成については、同一の符号を付し詳細な説明を省略する。
【００３３】
図６は本発明の実施の形態４における冷蔵庫の構造を示す要部の縦断側面図である。
【００３４】
補助ダクト２２は、吸気ダクト２０底部に形成し、冷蔵庫前面部と吸気ダクト２０底部に開口部を有する。
【００３５】
お客様の実使用時においては、毛高さが高い絨毯２４の上に冷蔵庫を設置し使用される場合がある。上記のような冷蔵庫底部を塞ぐような悪条件化においても、補助ダクトにより補助吸込口１９の開口部を確保することが可能となり、凝縮能力不足の原因を防止でき、冷蔵庫の信頼性を確保できる。
【００３６】
【発明の効果】
以上のように本発明は、圧縮機を設置した機械室と、冷蔵庫本体下部に設けた一方を冷蔵庫前面部に開口する吸込口と他一方を前記機械室に開口する吐出口とを形成するダクトと、前記ダクト内に設置した凝縮器と、前記凝縮器を強制冷却する冷却ファンとを備え、前記ダクトの底面と前記凝縮器のフィンの最下端部との隙間、及び冷蔵庫本体の底面と前記凝縮器のフィンの最上端部との隙間は前記凝縮器のフィンピッチより狭くするものであり、ダクト内の外気の流れは、凝縮器との隙間に偏流することなく凝縮器内を流れ凝縮器の効率的冷却ができる。
【００３７】
また、ダクト底部の少なくとも一部に補助吸込口を設け、凝縮器は前記ダクトの上部に設置するので、吸込口と補助吸込口から流入する外気により凝縮器全体を効率的に冷却できる。さらに、吸込口から流入する外気の主流はダクト上部を流れることとなり、ダクトの上部に設置している凝縮器の凝縮能力向上が図れる。
【００３８】
また、ダクト底部の補助吸込口に、吸込口より流入する冷却風をダクト上部に導くエアガイダーを形成するので、吸込口および補助吸込口から流入する外気は、強制的にダクト上部に設置している凝縮器に導かれる。さらに、エアガイダー付近での外気流れの乱れもあり、凝縮器の熱交換効率が向上による大幅な凝縮能力向上が図れる。
【００３９】
また、冷蔵庫前面部とダクト底部に開口する補助ダクトをダクト底部に形成したので、お客様の実使用時において、冷蔵庫底部を塞ぐような悪条件化においても、補助ダクトにより補助吸込口の開口部を確保することが可能であり、凝縮能力不足の原因を防止でき、冷蔵庫の信頼性を確保できる。
【図面の簡単な説明】
【図１】本発明の実施の形態１における冷蔵庫の構造を示す要部の横断平面図
【図２】本発明の実施の形態１における冷蔵庫の構造を示す要部の縦断側面図
【図３】本発明の実施の形態２における冷蔵庫の構造を示す要部の横断平面図
【図４】本発明の実施の形態２における冷蔵庫の構造を示す要部の縦断側面図
【図５】本発明の実施の形態３における冷蔵庫の構造を示す要部の縦断側面図
【図６】本発明の実施の形態４における冷蔵庫の構造を示す要部の縦断側面図
【図７】従来の冷蔵庫の構造を示す要部の横断平面図
【図８】従来の冷蔵庫の構造を示す要部の縦断側面図
【符号の説明】
５  圧縮機
６  冷却ファン
１１  主蒸発皿
１２  機械室
１５，１８，２０  吸気ダクト
１６  凝縮器
１９  補助吸込口
２１  エアガイダー
２２  補助ダクト
【図１】
0004080102.tif 000002
【図２】
0004080102.tif 000003
【図３】
0004080102.tif 000004
【図４】
0004080102.tif 000005
【図５】
0004080102.tif 000006
【図６】
0004080102.tif 000007
【図７】
0004080102.tif 000008
【図８】
0004080102.tif 000009